(57)【要約】少なくとも1チャンバから成る中空体の形のフィルタモジュールであって、中空体(1)の体壁はリサイクル工程において粉砕可能および / または解砕可能な非金属材料から成り、粉砕可能および / または解砕可能な前記材料は製紙原料、好ましくは厚紙、紙または板紙、または繊維質材料、好ましくは木材またはプレスボード材料であるフィルタモジュール。
2005522310.tif 000002
【特許請求の範囲】
【請求項１】
少なくとも1チャンバから成る中空体の形のフィルタモジュールにおいて、中空体(1)の体壁はリサイクル工程において粉砕可能および/または解砕可能な非金属材料から成り、粉砕可能および/または解砕可能な前記材料は製紙原料 ― 好ましくは厚紙、紙または板紙、または繊維質材料、好ましくは木材またはプレスボード材料 ― であることを特徴とするフィルタモジュール。
【請求項２】
粉砕可能および / または解砕可能な前記材料は生分解性材料であることを特徴とする請求項1に記載のフィルタモジュール。
【請求項３】
中空体(1)はほぼ直方体状であることを特徴とする請求項1または2のいずれか1項に記載のフィルタモジュール。
【請求項４】
中空体(1)はほぼ円筒状であることを特徴とする請求項1から3までのいずれか1項に記載のフィルタモジュール。
【請求項５】
中空体(1)の最小面は該中空体の最大面のほぼ半分の大きさであることを特徴とする請求項1から4までのいずれか1項に記載のフィルタモジュール。
【請求項６】
折畳み工程によって製造可能であることを特徴とする請求項1から5までのいずれか1項に記載のフィルタモジュール。
【請求項７】
中空体(1)の少なくとも1つの外面に少なくとも1個のグリップ(2)が埋設式または引き出し式に取り付けられおよび/またはそのように形成されていることを特徴とする請求項1から6までのいずれか1項に記載のフィルタモジュール。
【請求項８】
前記中空体の少なくとも1つの体壁は少なくとも部分的に防火含浸されていることを特徴とする請求項1から7までのいずれか1項に記載のフィルタモジュール。
【請求項９】
中空体(1)の少なくとも1個のチャンバは開放可能であることを特徴とする請求項1から8までのいずれか1項に記載のフィルタモジュール。
【請求項１０】
前記中空体の少なくとも2つの壁層は孔(3)を有することを特徴とする請求項1から9までのいずれか1項に記載のフィルタモジュール。
【請求項１１】
流入空気流の方向に直接連続して互いにほぼ平行に配置された少なくとも2つの壁層は孔(3)を有し、流入空気流の方向に連続して配された前記の2つの壁層の前記孔はその大きさが順次縮小しおよび/または互いにずらして配置されていることを特徴とする請求項1から10までのいずれか1項に記載のフィルタモジュール。
【請求項１２】
前記中空体の少なくとも1個のチャンバは少なくとも1個のフィルタエレメント(4)を装填し得ることを特徴とする請求項1から11までのいずれか1項に記載のフィルタモジュール。
【請求項１３】
少なくとも1個のフィルタエレメント(4)は空気流の方向において、互いにほぼ平行に配置された前記の少なくとも2つの壁層の後方に配された少なくとも1個のチャンバに装填し得ることを特徴とする請求項11と12に記載のフィルタモジュール。
【請求項１４】
フィルタエレメント(4)は濾材で満たされたバッグであることを特徴とする請求項12または13に記載のフィルタモジュール。
【請求項１５】
前記中空体の少なくとも1個のチャンバは少なくとも部分的に濾材(5)が充満されていることを特徴とする請求項1から14までのいずれか1項に記載のフィルタモジュール。
【請求項１６】
フィルタシステム(6)の本体は複数のフィルタモジュール用挿入ケース(7)を有することを特徴とする請求項1から15までのいずれか1項に記載の、特にフィルタモジュール用のモジュール式フィルタシステム。
【請求項１７】
フィルタシステムの本体(4)に1個のブロワー(8)が配置されていることを特徴とする請求項16に記載のフィルタシステム。
【請求項１８】
フィルタシステムの本体(6)は2個のチャンバを有し、2個の該チャンバ(9,10)の一方はブロワー(8)と連結されていることを特徴とする請求項17に記載のフィルタシステム。
【請求項１９】
前記フィルタモジュール用の挿入ケース(7)はその内部においてストッパ(11)によって奥行きが制限されていることを特徴とする請求項17または18に記載のフィルタシステム。
【請求項２０】
前記フィルタモジュールは一方のチャンバ(9)内においてストッパ(11)に当接するまで差し込み可能であり、他方のチャンバ(10)はブロワー(8)と連結されていることを特徴とする請求項18と19に記載のフィルタシステム。
【発明の詳細な説明】
【技術分野】
【０００１】
本発明は少なくとも1チャンバから成る中空体の形のフィルタモジュールに関する。
【背景技術】
【０００２】
フィルタ装置は特に、被スプレー対象に付着したままでなくそれから蒸散するスプレー剤の大半によって室内の空気が汚染されるスプレールーム用の装置が比較的以前から知られている。米国特許第6162270号公報はたとえばスプレールームから排出される空気を浄化するためのフィルタモジュール装填式フィルタシステムを開示している。ここで使用されたフィルタモジュールは必要に応じて取り外し、化学的または熱的に浄洗することができる。適用される浄洗方法に応じ、フィルタモジュールは耐高温( たとえば金属)材料または耐薬品( たとえばグラスファイバ強化プラスチック)材料から成っている。このフィルタシステムに関連して問題なのは、フィルタモジュールの浄化用に専用の装置が設けられなければならず、これが技術的、経済的にコスト負担をもたらすことである。
【発明の開示】
【発明が解決しようとする課題】
【０００３】
本発明の目的は、技術的に僅かな手間と低いコストで交換可能なフィルタモジュールを創作することである。
【課題を解決するための手段】
【０００４】
前記課題は本発明により、中空体体壁がリサイクル工程において粉砕可能および / または解砕可能な非金属材料から成り、粉砕可能および/または解砕可能な該材料は製紙原料−好ましくは厚紙、紙または板紙−または繊維質材料、好ましくは木材またはプレスボード材料であることによって達成される。
【０００５】
この場合、これらの材料のために現在の経済システムにすでに存在しているリサイクル循環を利用することができるため、リサイクル施設を創設するために追加的なコストはいっさい発生しないという経済的な利点が得られる。また、本発明によるフィルタモジュールは低コストで製造し得るという点が技術的に好適である。
【０００６】
フィルタモジュール全体がリサイクル可能な材料から成っていれば、その使用後に該モジュール全体を好ましくはすでに販売時に一緒に引渡される返送パッケージに入れてフィルタボックスメーカに返送し、該メーカによりそれを全体としてリサイクル循環に組み入れることが可能である。これはフィルタモジュールからの有害物質の発生に起因する環境汚染の危険を低下させることとなる。
【０００７】
製紙原料の使用は、こうして製造されたフィルタモジュールの自重が非常に僅かであり、リサイクルのために既存の古紙サイクルに組み入れることができるという利点を有する。
【０００８】
繊維質材料は機械的特性が好適であると同時にその調達コストが僅かな点で優れている。好適には使用済みの木材はその発熱量が高いことからリサイクルプロセスにおいて地域暖房用の熱の発生に使用することができ、これにより本発明によるフィルタモジュールの環境適合性はさらに高められることとなる。
【０００９】
本発明のさらに別の好適な実施形態は、粉砕可能および/または解砕可能な材料が生分解性材料であることによって実現される。これにより、使用済みの本発明によるフィルタモジュールの生分解のために既存の装置を利用することができる。
【００１０】
本発明のさらに別の好適な実施形態は、中空体がほぼ直方体状であることによって実現される。この形状は折畳み工程によって製造するのに特に適している。このようにして製造されたフィルタモジュールはメーカから消費者へ折畳んだ状態で引渡すことが可能であり、これにより輸送コストを節減することが可能である。
【００１１】
本発明のさらに別の好適な実施形態は、中空体がほぼ円筒状であることによって実現される。この実施形態の場合にも省スペース的な貯蔵・保管が可能である。
【００１２】
本発明のさらに別の好適な実施形態は、中空体の最小面がその最大面のほぼ半分の大きさであることによって実現される。これによりフィルタモジュールはその濾過作用を有効に発揮するために十分な容積を有することが達成される。
【００１３】
本発明のさらに別の好適な実施形態は、中空体の少なくとも1つの外面に少なくとも1個のグリップが埋設されて引出し得るように取り付けられおよび/またはそのように形成されていることによって実現される。これにより使用後のフィルタモジュールの交換が容易となる。また、グリップが埋設されて取り付けおよび/または形成されていることにより、グリップの損傷が防止されるとともに容易に積み重ねて貯蔵・保管することが可能となる。
【００１４】
本発明のさらに別の好適な実施形態は、中空体の少なくとも1つの体壁が少なくとも部分的に含浸されていることによって実現される。これにより本発明によるフィルタモジュールの耐久寿命が高められることとなる。
【００１５】
本発明のさらに別の好適な実施形態は、中空体の少なくとも1個のチャンバが開放可能であることによって実現される。これにより、該チャンバ内にある濾材を交換し、こうしてフィルタモジュール全体の耐久寿命を引き延ばすことが可能となる。
【００１６】
本発明のさらに別の好適な実施形態は、流入空気流の方向に直接連続して互いにほぼ平行に配置された少なくとも2つの壁層が濾孔を有し、流入空気流の方向に連続して配置された壁層に設けられた該濾孔はその大きさが順次縮小しおよび/または互いにずらして配置されている(ラビリンスシステム)ことによって実現される。これにより、空気から濾別された物質が流入側に取り付けられた濾層を詰まらせ、こうしてフィルタモジュールの濾過性能全体を低下させるいわゆる目詰まり効果が回避される。
【００１７】
本発明のさらに別の好適な実施形態は、中空体の少なくとも1個のチャンバに濾材を含んだ少なくとも1個のバッグを装填し得ることによって実現される。装填された濾材によってフィルタモジュールは微粒濾過機能を付与されることとなる。このフィルタバッグは種々のタイプのものが製造可能であり、考えられるのは、たとえば−ただしこれらに限られるものではないが−濾板、濾球、ばら濾材、濾炭、木毛または生体濾材を含んだフィルタバッグである。
【００１８】
本発明のさらに別の好適な実施形態は、濾材を含んだ少なくとも1個のバッグが空気流の方向において、互いにほぼ平行に配置された少なくとも2つの壁層の後方に配された少なくとも1個のチャンバに装填し得ることによって実現される。これによって前記のラビリンスシステムによって達成される粗粒濾過機能とフィルタバッグによって達成される微粒濾過機能との組合わせが実現され、こうして最適な濾過作用が得られる。
【００１９】
本発明のさらに別の好適な実施形態は、中空体の少なくとも1個のチャンバが少なくとも部分的に濾材で満たされていることによって実現される。これにより、たとえば規格化された袋に詰めて引渡される濾材をこれらの袋から取り出して、所望の量をフィルタモジュールに装填することが可能となる。
【００２０】
本発明のもう一つの変種はモジュール式フィルタシステム、特に請求項1から17までのいずれか1項に記載のフィルタモジュール用のフィルタシステムに関する。
【００２１】
従来の、広い面積を有するフィルタシステムには、一体に形成された濾材が不均等に汚染されるという問題がある。一体に形成された濾材の汚染値が限定された領域でのみ所定の限界値を越える場合でも、濾材全体が交換されなければならない。
【００２２】
そこで本発明のもう一つの目的は、より低コストで使用し得るフィルタシステムを完成することである。
【００２３】
前記課題は本発明により、フィルタシステムの本体がフィルタモジュール用の挿入ケースを有することによって達成される。
【００２４】
この場合、汚染度の高いフィルタモジュールのみをフィルタシステムから取外して処理・処分しさえすればよいという点が経済的に好適である。
【００２５】
本発明の前記変種の好適な1実施形態は、フィルタシステムの本体にブロワーが配置されることによって実現される。ブロワーによって産み出される吸引作用によりフィルタシステムを貫流する空気量を高めることができる。
【００２６】
本発明の前記変種のさらに別の好適な実施形態は、フィルタシステムの本体が2個のチャンバを有し、2個のチャンバの一方がブロワーと連結されることによって実現される。これにより、2個のチャンバの一方にフィルタモジュールを挿填し、他方のチャンバにブロワーを連結することが可能となる。本発明のさらに別の好適な実施形態は、一方のチャンバ内にフィルタモジュールをストッパに当接するまで差し込むことができ、他方のチャンバはブロワーと連結されていることによって実現される。ストッパが設けられていることによりブロワーの吸引作用によってフィルタモジュールがフィルタシステム内に過度に深く引き込まれることが防止される。付加的な固定手段が不要であることにより個々のフィルタモジュールの交換は容易である。
【発明を実施するための最良の形態】
【００２７】
以下、図面の説明により本発明のその他の特徴および詳細を明らかにする。
【００２８】
図1aは本発明によるフィルタモジュールを一部切開して示した透視図であり、同図から中空体1の多チャンバ構造を看取することができる。連続して配置された濾層に設けられたそれぞれの濾孔3は大きさが相異しており、互いにずらして配置されている。同じく同図から、濾過チャンバ内に装填された可脱式の濾材5ならびに引き出された状態のグリップ2を看取することができる。図1bからも各濾層に設けられた濾孔3が互いにずらして配置されている様子がみとめられる。
【００２９】
図2aは図1a,1bに示したフィルタモジュールの側方断面図を示したものである。図中には回旋引き出し式のグリップ2ならびに濾過チャンバ内に装填された可脱式の濾材5がみとめられる。
【００３０】
図2bは図2aにA−Aとして表した層の平面図を、図2cはB−Bに沿った同様な平面図を、図2dはC−Cに沿った同様な平面図をそれぞれ示したものである。これらの図からも、各濾孔3がずらして配置されていることならびにそれらの大きさが相異していることがみとめられる。
【００３１】
図3は本発明によるフィルタモジュールの1実施例の側方断面図を示したものであり、同図からも多チャンバ構造を看取することができる。さらに、フィルタモジュールの1チャンバがグリップ2を経て開放可能であり、したがって同所に達することが可能であることがみとめられる。該濾過チャンバの内部には3個のフィルタバッグが挿填されている。
【００３２】
図4aはモジュール式フィルタシステム6の透視図を示したものであり、該システムにおいて本発明による個々のフィルタモジュールはフィルタシステム6の本体の挿入ケース7内にストッパ11に当接するまで差し込むことができる。フィルタシステムにはブロワー8が取付けられている。この実施例のフィルタシステムは2チャンバ構造として形成されている。一方のチャンバ9内にはフィルタモジュールが差し込まれ、他方のチャンバ10は、図4bから看取されるように、ブロワーと連結されている。同図において空気の流れは矢印によって示唆されている。
【００３３】
図5は本発明によるフィルタシステム6のさらに別の実施形態を示したものであり、この実施形態においてフィルタシステム6は水平に形成されており、フィルタモジュールは挿入ケース7内に垂直に挿入される。この場合にも、挿入ケース7はストッパ11によって限界されている。
【図面の簡単な説明】
【００３４】
【図１ａ】本発明によるフィルタモジュールの透視図と平面図である。
【図１ｂ】本発明によるフィルタモジュールの透視図と平面図である。
【図２ａ】本発明によるフィルタモジュールの側方断面図である。
【図２ｂ】図2aに表示した各面の平面図である。
【図２ｃ】図2aに表示した各面の平面図である。
【図２ｄ】図2aに表示した各面の平面図である。
【図３】本発明によるフィルタモジュールの1実施例の側方断面図である。
【図４ａ】フィルタモジュールを嵌挿したフィルタシステムを示す図である。
【図４ｂ】図4aに示したフィルタシステムの側方断面図である。
【図５】1個のフィルタモジュールを嵌挿した、本発明によるフィルタシステムのさらに別の実施形態を示す図である。
【図１ａ】
2005522310.tif 000003
【図１ｂ】
2005522310.tif 000004
【図２ａ】
2005522310.tif 000005
【図２ｂ】
2005522310.tif 000006
【図２ｃ】
2005522310.tif 000007
【図２ｄ】
2005522310.tif 000008
【図３】
2005522310.tif 000009
【図４ａ】
2005522310.tif 000010
【図４ｂ】
2005522310.tif 000011
【図５】
2005522310.tif 000012
【国際調査報告】
2005522310.tif 000013
2005522310.tif 000014
2005522310.tif 000015
2005522310.tif 000016
2005522310.tif 000017
2005522310.tif 000018